(57)【特許請求の範囲】
【請求項１】
バッテリ、第１装置コネクタを含む装置ハウジングと、ワイヤレス送信器と、ローカルディスプレイとを含む第１装置；及び
前記第１装置を内部に保持するハウジング構造体を含むポインティング装置であって、
前記ハウジング構造体は、更に、第２装置コネクタと、前記ワイヤレス送信器に作動的に結合され、前記装置ハウジングのフラットな表面に対する移動を検出してグラフィックユーザインターフェイス制御情報を出力し、前記ワイヤレス送信器によって外部装置へ送信するように動作するハウジング移動検出器とを含むものであるポインティング装置；
を備え、前記ハウジング移動検出器が、前記ローカルディスプレイに設けられたグラフィックユーザインターフェイスにＧＵＩ情報を提供することを特徴とするワイヤレスハンドヘルド装置。
【請求項２】
前記第２装置コネクタは、前記第１装置コネクタに結合されて、前記ハウジング移動検出器のためのバッテリ電力を前記バッテリから得るように動作する、請求項１に記載のハンドヘルド装置。
【請求項３】
前記ローカルディスプレイのためのグラフィックユーザインターフェイス制御情報を与えるように作動的に結合された表示ポインティング装置を備えた、請求項１に記載のワイヤレスハンドヘルド装置。
【請求項４】
前記ハウジング移動検出器は、赤外線ポインティング装置及び非赤外線ポインティング装置の少なくとも一方を含む、請求項１に記載のハンドヘルド装置。
【請求項５】
前記ハウジング構造体は、更に、前記装置ハウジングに係合される部分を有する複数の側壁と、前記ハウジング移動検出器に関連したグラフィックユーザインターフェイス制御情報を与えるように動作する少なくとも１つの選択ボタンとを備えた、請求項１に記載のハンドヘルド装置。
【請求項６】
前記ハウジング構造体は、更に、前記ハウジング移動検出器のための少なくとも１つの選択ボタンを含むフリップアームを備えた、請求項５に記載のハンドヘルド装置。
【請求項７】
前記ハウジング移動検出器に基づいてグラフィックユーザインターフェイス制御情報を送信するマウスモードと、非マウスモードとの間をユーザが切り換えできるように動作する少なくとも１つのホットキーを備えた、請求項１に記載のハンドヘルド装置。
【請求項８】
ワイヤレス電話回路と、このワイヤレス電話回路に作動的に結合されたキーパッドと、
ユーザに情報を表示するために前記ワイヤレス電話回路に作動的に結合されたローカルディスプレイと、ショートレンジワイヤレス送信器とを含む第１装置；及び
前記第１装置を内部に保持するハウジング構造体を含み、前記ショートレンジワイヤレス送信器に作動的に結合され、少なくともリモート位置の装置に対するワイヤレスハンドヘルド装置のフラットな表面に対する移動に基づいて決定されたワイヤレスＧＵＩ制御情報を与えるように動作する第１の表示ポインティング装置；
を備え、
前記第１の表示ポインティング装置は、前記ローカルディスプレイにも結合され、そして前記ローカルディスプレイに表示されるカーソルに対するＧＵＩ制御情報を選択的に与えるように動作する、ワイヤレスハンドヘルド装置。
【請求項９】
表示ポインティング装置の制御ボタン、及びワイヤレス電話オペレーションを実行するのに使用するためのキーとして働くように、前記キーパッドのキーを制御するための第１ロジックを備えた、請求項８に記載のハンドヘルド装置。
【請求項１０】
入呼びの検出に応答して前記マウスモードからワイヤレス電話モードへ前記キーパッドの制御キーを切り換えるように動作する第２ロジックを備えた、請求項８に記載のハンドヘルド装置。
【請求項１１】
前記表示ポインティング装置を制御するために前記キーパッドのどのキーを使用すべきか指示する情報を表示するように動作する第３ロジックを備えた、請求項８に記載のハンドヘルド装置。
【請求項１２】
前記ローカルディスプレイのためのグラフィックユーザインターフェイス制御情報を与えるように作動的に結合された第２の表示ポインティング装置と、上記装置がリモートマウスモードにあるか非リモートマウスモードにあるかに基づいて第１表示ポインティング装置と第２の表示ポインティング装置との間を切り換えるように動作する表示ポインティング装置切り換えロジックとを備えた、請求項８に記載のハンドヘルド装置。
【発明の詳細な説明】
【技術分野】
【０００１】
本発明は、一般に、ワイヤレスマウスのようなワイヤレスポインティング装置に係り、より詳細には、１つ以上のワイヤレスポインティング装置を使用して、ディスプレイ上のグラフィックユーザインターフェイス（ＧＵＩ）を制御するワイヤレスハンドヘルド装置に係る。
【背景技術】
【０００２】
例えば、テーブルのような表面上でのワイヤレスマウスの移動を感知し、そしてカーソル位置情報又はメニュー選択情報のようなポインティング装置制御情報をラップトップ装置又は他の装置におけるショートレンジワイヤレス受信器へワイヤレス通信する光学的又は赤外線センサを使用するワイヤレスマウスが知られている。このようなワイヤレスマウスは、多数の効果を発揮するが、バッテリ電力を使い切ってしまう。この装置は、次いで、ＵＳＢポートを経てラップトップ装置で再充電するか、或いはＡＣウォールソケット又は他の適当な電源を経て再充電することができる。
【０００３】
セルラー電話や、ｅ−メール及びインターネットアクセスのような他の機能と組み合わされたセルラー電話のようなワイヤレスハンドヘルド装置も知られている（例えば、Ｂｌａｃｋｂｅｒｒｙ（登録商標）型の装置又は他の適当な装置）。このような装置は、ユーザに情報を表示するためのディスプレイを使用すると共に、マウス又はトラックホイールのようなポインティング装置も使用し、これは、ローカルディスプレイにおけるカーソル移動及び／又はメニュー選択を制御するような、グラフィックユーザインターフェイスの制御に使用される。このような装置は、タッチパッドや、トラッキングホイールや、他の従来のマウスのようなポインティング装置を使用することができ、タッチパッドに対するユーザのフィンガーの移動、又はハンドヘルド装置のハウジングの固定点に対するトラッキングホイールの移動を検出する。しかしながら、このようなローカルポインティング装置は、典型的に、リモート装置のＧＵＩを制御しない。
【発明の開示】
【発明が解決しようとする課題】
【０００４】
ワイヤレスハンドヘルド装置に結合されるか又はそれと一体化されて、ワイヤレスポインティング装置のための付加的なバッテリ電力を受け取り、及び／又はハンドヘルド装置に対して外部装置のＧＵＩ制御を与えるようなワイヤレスポインティング装置をもつことが望まれる。
【課題を解決するための手段】
【０００５】
簡単に述べると、装置ハウジングと、ショートレンジワイヤレス送信器のようなワイヤレス送信器と、ローカルディスプレイと、例えば、表面又は他の基準点に対するハウジングの移動を検出し、そしてグラフィックユーザインターフェイス制御情報を出力して、ワイヤレス送信器によって外部装置へ送信するためのハウジング移動検出器（ポインティング装置とも称される）とを備えたワイヤレスハンドヘルド装置が開示される。一実施形態では、ハウジング移動検出器のハウジング構造体は、ワイヤレスハンドヘルド装置、例えば、セルラー電話、ｅ−メール装置、パーソナルデジタルアシスタント、デジタルオーディオ再生装置、デジタルビデオ再生装置、又は他の適当なワイヤレスハンドヘルド装置に接続するようにされ、前記他のワイヤレスハンドヘルド装置は、カーソル（例えば、矢印又は線）の移動、メニュー識別、メニュー選択、アイコン選択、又は外部装置のための他の既知のＧＵＩオペレーションのようなグラフィックユーザインターフェイスをリモート制御するためのショートレンジワイヤレス送信器及び／又はトランシーバを含む。この構造のハウジング移動検出器は、ワイヤレスハンドヘルド装置のバッテリ電力を唯一の電源として又は補助電源として使用する。
【０００６】
別の実施形態では、ワイヤレスセルラー電話がハウジング移動検出器と一体化され、そしてグラフィックユーザインターフェイス制御情報、例えば、カーソル位置情報、メニュー／アイコン選択情報、又は他のグラフィックユーザインターフェイス制御情報を、ショートレンジワイヤレス送信器を経て、外部（即ち、リモート）装置、例えば、ラップトップコンピュータ、デスクトップコンピュータ、リモートディスプレイ、他のワイヤレスハンドヘルド装置、又は他の適当な外部装置へ通信する。一実施形態では、セルラー電話（即ち、ハウジング）が移動すると、例えば、カーソルを有するディスプレイを含むリモート装置においてカーソル及び選択オペレーションを制御するためのグラフィックユーザインターフェイス制御情報をワイヤレスマウスが通信するようにさせる。
【０００７】
ハウジング移動検出器は、ワイヤレスハンドヘルド装置と一体化されてもよいし、或いは、例えば、ハウジング移動検出器のバッテリ電力を得るためにワイヤレスハンドヘルド装置の装置コネクタに結合されるコネクタを含むアタッチメントであってもよい。又、ハウジング移動検出器は、例えば、バッテリ電力を得るためにワイヤレスハンドヘルド装置のコネクタにも接続されるそれ自身のバッテリを含んでもよいし含まなくてもよい光学的（例えば、可視又は赤外線）ワイヤレスポインティング装置でよい。従って、ワイヤレスポインティング装置は、ショートレンジ送信器を伴うセルラー電話のようなワイヤレスハンドヘルド装置を、外部装置のための一時的なワイヤレスマウスへ変換することができる。又、セルラー電話のハウジングは、ワイヤレスポインティング装置を保持するか又はそれに取り付けられるので、ワイヤレスマウスのための一形式のハウジングとしても働く。又、ハウジング移動検出器は、非赤外線センサ（例えば、可視光線又は機械的）でもよい。
【０００８】
又、ハウジング移動検出器は、１つ以上の選択ボタンを含む構造も備え、ワイヤレスで出力されるグラフィックユーザインターフェイス制御情報が、例えば、１クリック又は２クリック選択ボタンオペレーションを与えるための選択情報を包含できるようにする。例えば、ワイヤレスハンドヘルド装置に取り付ける付加的なキーをハウジング移動検出器の構造に組み込むことができる。別の実施形態では、ワイヤレスハウジング移動検出器は、ワイヤレスハンドヘルド装置内に組み込まれ、そしてワイヤレスハンドヘルド装置のキーパッドボタン又は他のボタンは、ハウジング移動検出器で外部装置のカーソル制御又はメニュー選択を制御するためのマウス制御ボタンとして使用される。
【０００９】
ワイヤレス外部（即ち、リモート）装置は、それに対応するワイヤレスショートレンジ受信器を備え、この受信器は、グラフィックユーザインターフェイス制御情報を受け取って、ワイヤレスリモート装置に配置されたようなディスプレイで見ることのできるカーソル／メニュー、アイコン又は他のＧＵＩ機能を、ワイヤレスハンドヘルド装置のハウジング移動検出器により送信されるグラフィックユーザインターフェイス制御情報を使用して制御する。従って、他の効果の中でも、一形式のショートレンジワイヤレスイネーブル型セルラー電話マウス又は他の装置マウスは、ユーザが、彼らのワイヤレスハンドヘルド装置を、他のショートレンジワイヤレス適合外部装置、例えば、ラップトップ又はデスクトップコンピュータ或いは他の適当な装置と共に、マウス又はＧＵＩ制御装置として容易に使用できるようにする。当業者であれば、他の効果も認識されよう。
【００１０】
又、ハンドヘルド装置のバッテリからワイヤレスポインティング装置の電力を得、ワイヤレスポインティング装置によりハンドヘルド装置の動きを検出し、そしてハンドヘルド装置から離れた装置へグラフィックユーザインターフェイス制御情報をワイヤレスに送信することを含む方法も開示される。
【００１１】
別の実施形態では、ローカルディスプレイのためのワイヤレスポインティング装置を既に含むハンドヘルド装置は、ワイヤレスポインティング装置も備え、そしてワイヤレスハンドヘルド装置をリモートマウスモードから非リモートマウスモードへスイッチングできるようにして、ハンドヘルド装置が一形式のリモートワイヤレスマウスとして動作できるようにするか、又はリモートワイヤレスマウスを実際上ディスエイブルして、装置が従来モードで動作できるようにするロジックが含まれる。ここで使用する「マウス」とは、２Ｄカーソル位置情報であるか３Ｄカーソル位置情報であるかに関わらずＧＵＩ制御情報、メニュー位置又はハイライト情報、メニュー又はアイコン選択情報（例えば、１クリック又は多クリック情報）、或いは他の適当なＧＵＩ制御情報を与える構造体を指す。
【００１２】
本発明は、同様の要素が同じ参照番号で示された添付図面に一例として示されるが、これに限定されない。
【発明を実施するための最良の形態】
【００１３】
図１は、ショートレンジワイヤレス通信リンクを経て外部装置１０２とワイヤレス通信するワイヤレスハンドヘルド装置１００の一実施例を示すブロック図である。説明上、このショートレンジワイヤレス通信リンクは、０ないし１００メーターの範囲のショートレンジリンクとして説明され、例えば、Ｂｌｕｅｔｏｏｔｈ（登録商標）技術とも称されるＩＥＥＥ８０２．１１ベース技術のような技術を組み込んでもよいし、或いは必要に応じて適当な高周波又は光学的ショートレンジ通信リンクを組み込んでもよい。ワイヤレスハンドヘルド装置は、任意の適当なワイヤレスハンドヘルド装置でよく、ワイヤレスセルラー電話（クラムシェルハウジング又は他の構成）、パーソナルデジタルアシスタント、インターネットに接続されるインターネット機器、デジタルオーディオ再生装置（ｉＰｏｄ（登録商標）装置のような）、デジタルビデオ再生装置（ＤＶＤプレーヤを有する装置のような）、電子メール通信装置、又はその適当な組み合わせ、或いは任意の適当な機能を有する他の適当なワイヤレスハンドヘルド装置を含むが、これらに限定されない。ワイヤレスハンドヘルド装置は、ハウジング１０４を備え、その中に次のものを含むか又は次のものが取り付けられている。ローカルディスプレイ１０６、処理ロジック１０８、ショートレンジワイヤレス送信器１１０、及びハウジング移動検出器１１２。説明上、ワイヤレス送信器１１０は、Ｂｌｕｅｔｏｏｔｈ（登録商標）形式のワイヤレス送信器と称され、アンテナ１１４を含むが、ワイヤレス送信器１１０は、赤外線送信器でもよいし、又は他の適当なワイヤレス送信器でもよい。更に、ここで使用する「送信器」という語は、必要に応じて、両方向通信を与えるための受信器も含む。ワイヤレスハンドヘルド装置内のコンポーネントは、従来の仕方で直接的又は間接的にハウジングに結合される。
【００１４】
処理ロジック１０８は、必要に応じて、ローカルディスプレイ１０６、ハウジング移動検出器１１２及びワイヤレス送信器１１０に作動的に結合され、適当な制御情報及び表示情報を与える。又、ワイヤレスハンドヘルド装置１００は、電源ロジック（図示せず）、ハウジング移動検出器１１２、及びワイヤレスハンドヘルド装置内の他のコンポーネントに適当な電力を供給するバッテリ１３２も備えている。
【００１５】
この例では、処理ロジック１０８は、この技術で知られたようにディスプレイに表示される表示情報を、適当な通信リンク１１６を経て与える。又、処理ロジック１０８は、アクチベーション又はデアクチベーション情報のような制御情報を、適当な通信リンク１１８を経てハウジング移動検出器１１２へ与えることができる。処理ロジック１０８は、例えば、マイクロプロセッサ、マイクロコントローラ、デジタル信号プロセッサ、又は他の適当なロジックのような１つ以上のデジタル処理装置でよく、該他の適当なロジックとしては、状態マシン、プロセッサをここに述べるように動作させる実行可能なインストラクションを実行する他の処理装置、又は個別ロジック、或いはハードウェア、ソフトウェア及びファームウェアの適当な組み合わせを含むが、これらに限定されない。それ故、処理ロジック１０８は、必要に応じて単一又は複数の処理装置及び／又は個別ロジック、或いはハードウェア及びソフトウェアの適当な組み合わせを含んでもよい。
【００１６】
ハウジング移動検出器１１２は、従来のグラフィックユーザインターフェイス制御情報１２０を出力し、これは、ワイヤレス送信器１１０によりワイヤレスリモート装置１０２のような外部装置に送信される。ハウジング移動検出器１１２は、ユーザがスクリーン上のポインタを移動させ、スクリーン上のアイテムをスクロールし、又は他の従来のＧＵＩオペレーションを行うことができるようにする。ハウジング移動検出器１１２は、例えば、従来のワイヤレスマウス装置に見られる従来の光学的又は赤外線検出器及びそれに対応する処理回路を備え、表面又は他の基準点に対する移動を検出するようにハウジングに適当に結合される。又、ハウジング移動検出器１１２は、このハウジング移動検出器をハンドヘルド装置に取り付けできるか又は一体化できるかに基づき、共有キーパッドによるか、専用ボタンによるか、又は他の選択メカニズムによる対応選択ボタンも含む。グラフィックユーザインターフェイス制御情報１２０は、これに限定されないが、表示スクリーンメニューハイライト動作、選択動作、又はこの技術で知られた他の適当なＧＵＩ制御動作のような、グラフィックユーザインターフェイスを制御する情報を含むことができる。例えば、矢印のような従来のカーソルを使用しない外部装置は、ユーザにより選択されるメニュー又はアイコンを必要に応じてハイライトするメニューベースＧＵＩを使用するだけである。従って、グラフィックユーザインターフェイス制御情報１２０は、ユーザがグラフィックユーザインターフェイスを通してナビゲートしてリモート装置において適当な選択を行えるようにする情報を含む。従って、この例では、カーソル１２６が外部装置１０２のＧＵＩにより使用される場合に、グラフィックユーザインターフェイス制御情報１２０は、カーソル１２６の移動を許す位置情報と、それに対応する選択情報とを含み、この選択情報は、例えば、ユーザインターフェイスを通して識別される所与のオペレーションを選択するための従来の単一クリック又はダブルクリックオペレーションに対応する。又、リモート装置１０２は、送信されたグラフィックユーザインターフェイス制御情報１２０を受信するためのワイヤレス受信器１２８を含むものとして示されているが、単に、リモートディスプレイを含まない中間装置でもよいことが明らかである。むしろ、グラフィックユーザインターフェイス制御情報１２０は、この中間装置により、ＧＵＩを表示するリモートディスプレイを有する装置へ再送信される。更に、説明上、この実施形態では、ワイヤレスリモート装置１０２は、例えば、ディスプレイ１３０をもつリモートラップトップコンピュータでよく、又、このワイヤレスリモート装置１０２のディスプレイ１３０上の視覚ポインタ又はカーソル１２６を制御するためのショートレンジワイヤレス送信グラフィックユーザインターフェイス制御情報１２０を受信できる対応するショートレンジワイヤレス受信器１２８を備えてもよい。又、ワイヤレスリモート装置１０２は、ワイヤレス受信器をもつＨＤＴＶディスプレイ、プロジェクタ、又はショートレンジ送信器をもつ他のディスプレイでもよいし、或いは例えば、ラップトップコンピュータ又はデスクトップコンピュータでもよい。又、リモート装置１０２は、ワイヤレス受信されたグラフィックユーザインターフェイス制御情報１２０を適当に処理してカーソル１２６をこの技術で知られたように制御できるようにする他の処理回路（図示せず）も含むことが明らかである。
【００１７】
図２は、例えば、図１のワイヤレスハンドヘルド装置１０４又は他の適当な装置により実行されるリモート装置のためのグラフィックユーザインターフェイス制御情報を与える方法の一例を示すフローチャートである。ブロック２００に示されたように、この方法は、ハンドヘルド装置のバッテリからハウジング移動検出器の電力を得ることを含む。これは、例えば、コネクタ（図４−６を参照して以下に述べる）を通して行うこともできるし、或いはワイヤレスハンドヘルド装置内のワイヤード接続又は他の適当なメカニズムを通して行うこともできる。ブロック２０２に示すように、この方法は、ハウジング移動検出器によりハンドヘルド装置の移動を検出し、そしてハウジング移動検出器から、ハンドヘルド装置から離れた装置へグラフィックユーザインターフェイス制御情報１２０をワイヤレス送信することを含む。グラフィックユーザインターフェイス制御情報１２０は、例えば、上述したように、グラフィックユーザインターフェイス制御情報（例えば、ｘ、ｙ、ｚ移動及びボタン選択）と、カーソルのｘ、ｙ移動とを含む。例えば、ワイヤレスハンドヘルド装置１０４がフラットな表面にわたって移動されるときには、ハウジング移動検出器１１２は、フラットな表面に対するハウジングの移動を検出し、そしてグラフィックユーザインターフェイス制御情報１２０を発生し、これは、リモート装置へショートレンジワイヤレス送信するために、必要に応じて、他の回路を通して、ワイヤレス送信器１１０へ通信される。次いで、リモート装置は、グラフィックユーザインターフェイス制御情報１２０を受信し、そしてリモート装置におけるグラフィックユーザインターフェイス、例えば、カーソルの移動、ディスプレイにおけるアイコン又はメニューの選択、アイコン又はメニューのハイライト動作、プルダウンメニューのアクチベーション、又はこの技術で知られた他のグラフィックユーザインターフェイスオペレーション、を適当に制御する。ハウジング移動検出器１１２は、例えば、ワイヤレスハンドヘルド装置１０４のローカルディスプレイ及び／又は他の処理ロジックを付勢するのにも使用されるバッテリからそのバッテリ電力を得る。
【００１８】
図３は、ハンドヘルド装置、例えば、セルラー電話のようなワイヤレスハンドヘルド装置（これに限定されないが）に取り付けて、実際上セルラー電話をワイヤレスポインティング装置へ転換する個別のアタッチメント装置として設計されたワイヤレスポインティング装置３００の一例を示すブロック図である。このワイヤレスポインティング装置３００は、ハンドヘルド装置を内部に保持するための構造体３０２を含む。この構造体３０２は、そのベース部分３０４に装置移動検出器１１２のような移動検出器を備え、グラフィックユーザインターフェイス制御情報１２０を与えるように動作する。ベース部分３０４は、例えば、フラットにされ、移動検出器１１２がフラットな表面に対する移動を検出できるようにする。又、ワイヤレスポインティング装置３００は、コネクタ３０６も備え、これは、ハンドヘルド装置の対応コネクタと電気的に且つ望ましくは機械的に係合されて、ポインティング装置３００がハンドヘルド装置からバッテリ電力を得られるようにする。
【００１９】
例えば、図４に示すように、ハンドヘルド装置４００は、ポインティング装置３００によって接続され支持されて示されている。ハンドヘルド装置４００は、対応コネクタ４０２を有し、これは、構造体３０２のコネクタ３０６に係合されて、ポインティング装置３００との電気的接続をなし、ポインティング装置３００は、バッテリ電源を含むだけでなく、ポインティング装置３００からハンドヘルド装置４００へグラフィックユーザインターフェイス制御情報１２０を与えるための通信リンクを形成し、ハンドヘルド装置４００が、それ自身のショートレンジワイヤレス送信器を経てＧＵＩ制御情報１２０を別の外部装置へワイヤレス送信できるようにする。或いは又、ポインティング装置３００は、例えば、ハンドヘルド装置がショートレンジワイヤレス送信器を有していない場合に、ショートレンジワイヤレス送信器を内蔵してもよい。しかしながら、多くのワイヤレスハンドヘルド装置４００は、Ｂｌｕｅｔｏｏｔｈ（登録商標）型のショートレンジ送信器を既に含んでいるので、ポインティング装置３００は、複雑さ及びコストを減少するこの既存のハードウェアの利点を取り込むことができる。
【００２０】
図３ないし図５を参照すれば、ここに例示する構造体３０２は、移動検出器１１２を含むベース部分３０４に加えて、複数の側壁３０８、３０９、３１０、３１１と、コネクタ３０６を含む端壁３１２とを備えている。しかしながら、コネクタ３０６は、それが適する場所に配置されてもよいことが明らかであろう。側壁は、ベース部分３０４に動作上関連し、ハンドヘルド装置４００に係合される。側壁３０８−３１１、この例では、端壁３１２が、ベース部分３０４と一体的に形成されてもよい。ベース部分３０４、側壁３０８−３１１及び端壁３１２は、プラスチックのような適当な材料で作ることができる。しかしながら、これらの壁は、ベースにスナップ嵌合、スクリューイン、のり付け、又は適当な形態で固定されることが明らかである。ここで使用する「係合」とは、単に、ある仕方で保持することを意味する。機械的なメカニズムを必要とするのは、コネクタ３０６とコネクタ４０２との間の接続だけであるが、側壁３０８、３１０、３０９、及び３１１は、必要に応じて、適度な量の保持を与えることが明らかである。例えば、側壁３０８−３１１は、ハンドヘルド装置４００と摩擦係合するように構成されてもよいし、或いはハンドヘルド装置に対応するくぼみがあり、側壁３０８−３１１に対応する突起があって、側壁を装置に機械的に係合してもよい。しかしながら、いかなる適当な構成を使用してもよいと共に、いかなる適当な設計のベース、側壁及び端壁を使用してもよいことが明らかであろう。設計によっては、端壁は不要であることも明らかであろう。
【００２１】
又、構造体３０２は、フリップアーム３２０も含み、これは、この例では、ヒンジメカニズム３２２の周りで枢軸回転し、フリップアーム３２０をフリップアップして、ハンドヘルド装置４００をその通常モードで使用できるようにし、フリップアームがハンドヘルド装置のスクリーン４０４をカバーしないようにする。又、フリップアーム３２０は、選択ボタン３２２も含み、これは、従来のマウス装置に見られる選択ボタンとして働き、１クリック、２クリック又は多クリック選択機能を与える。選択ボタン３２２は、ハウジング移動検出器１１２に関連したＧＵＩ制御情報を、コネクタ３０６及び４０２を経てハンドヘルド装置４００に与える。必要に応じて、フリップアームには２つ以上の選択ボタンが設けられてもよい。又、必要に応じて適当なピボット方向に適当なピボットメカニズムを使用してもよいし、或いはハンドヘルド装置をポインティング装置３０２へ適当にスライドできる場合には、ピボットメカニズムを使用する必要がないことも明らかであろう。
【００２２】
ハンドヘルド装置４００を内部に保持するポインティング装置３００の平面図である図５を参照すれば、側壁３０８−３１１の各々は、ハンドヘルド装置４００を位置保持するために内方に延びる壁部分５００−５０６を含む。しかしながら、対向する側壁３０８及び３０９又は全部より少ない側壁だけが、内方に延びる部分５０４を含むことができ、且つ他の適当な構成を使用して、ハンドヘルド装置４００をポインティング装置３００との適切な位置に適当に保持できることが明らかであろう。又、側壁の長さ及び形式は、ハンドヘルド装置をポインティング装置３００との適切な関連で保持するに充分な適当な長さでよい。ポインティング装置３００は、それ自身のバッテリ（１つ又は複数）を含み、そしてコネクタ３０６は、搭載バッテリが低レベルであるときに必要に応じて付加的な電力を供給できることが明らかであろう。
【００２３】
図６、７及び８は、ワイヤレスハンドヘルド装置が移動検出器１１２を使用する別の実施形態を示すもので、個別のポインティング装置がハンドヘルド装置へのアタッチメントとして構成された図３−５に示す構成とは対照的である。この例では、従来の機能、及びユーザインターフェイス構造体、例えば、キーパッド、仮想キーパッドとして働くディスプレイ、又は他の適当なユーザインターフェイスメカニズムに加えて、ワイヤレスハンドヘルド装置６００が、この例では、例えば、ハウジング移動検出器１１２を内部に伴うセルラー電話として示されており、ディスプレイ４０４、キーパッド６０１及び付加的な制御キー６０２を備えている。この技術で知られたように、これら制御キー６０２は、通常、装置のための種々のオペレーションに使用され、そして音量制御、住所録選択、及び他の適当な機能のような異なる機能を遂行するのに使用できる。それらは、又、例えば、ユーザがディスプレイ４０４に表示されるアイテムをアップ方向及びダウン方向にスクロールしそして選択できるようにするグラフィックユーザインターフェイス制御ボタンとして使用されてもよい。一実施形態では、既存の制御キー６０２又は付加的な制御キーは、ハウジング移動検出器１１２により与えられるグラフィックユーザインターフェイス制御情報１２０を送信するマウスモードと、グラフィックユーザインターフェイス制御情報１２０のワイヤレス送信を許さない非マウスモードとの間をユーザがスイッチできるように動作するホットキーとして使用される。例えば、非マウスモードは、ワイヤレス送信器１１０を通してグラフィックユーザインターフェイス制御情報１２０を出力しない装置６００のセルラー電話モード、ビデオ再生モード、オーディオ再生モード、又は他の適当な動作モードを含む。
【００２４】
上述したように、制御キー６０２は、この技術で知られたようにローカルディスプレイ４０４のためのグラフィックユーザインターフェイス制御情報を与えるように結合されるＧＵＩナビゲーションボタンとして働くことができる。しかしながら、更に、装置６００は、ハウジング移動検出器１１２を使用して、装置６００のハウジングの移動に基づいてリモート装置のための付加的なグラフィックユーザインターフェイス制御情報１２０を与えることもできる。ハウジング移動検出器１１２は、装置６００の可動部を使用するクラムシェル設計又は他の設計の場合に、可動部を含む装置６００の任意の部分に適当に配置されてもよいことが明らかであろう。
【００２５】
図８に示すように、ワイヤレスハンドヘルド装置６００は、ＧＵＩ選択ボタン８０２及び８０４も備え、これらは、この例では、ハウジング移動検出器１１２の一部分として働いて、グラフィックユーザインターフェイス制御情報１２０を与える。従って、必要に応じて付加的なキーを追加して、装置６００を使用するユーザによりワイヤレスマウスオペレーションを実行することができる。又、音量制御や他の制御に通常使用されるボタン、又は以下に更に述べる適当なボタンアクチベーション及び制御オペレーションによる他のキーパッドボタンを含む任意のボタンを装置に使用できることも明らかであろう。
【００２６】
図９は、例えば、少なくともショートレンジワイヤレス送信器１１０を含むのでワイヤレスと考えられるワイヤレスハンドヘルド装置であるワイヤレス装置６００の一例を示すブロック図である。しかしながら、上述したように、この実施形態では、ワイヤレス装置６００は、このワイヤレス装置がこの技術で知られたように種々のネットワークを経て音声及びデータ情報を通信できるようにするために、ＣＤＭＡ、ＧＳＭ、又は他の適当なロングレンジワイヤレス送信器のようなワイヤレスワイドエリアネットワーク９００も備えている。又、この例では、装置６００は、例えば、プロセッサ９０４を通してこの技術で知られたワイヤレスワイドエリアネットワーク送信器（例えば、トランシーバ）に結合されたワイヤレス電話回路９０２も備え、そしてプロセッサ９０４のようなロジックに作動的に結合され、このプロセッサは、処理ロジック１０８を参照して述べたようなオペレーションを遂行し、そして更に、以下に述べるような付加的な機能を与えることができる。ここに示す種々の機能的要素は、従来の通信リンクを通してプロセッサ９０４に作動的に結合され、両方向矢印で示されている。この例では、更に、装置６００は、例えば、ｉＰｏｄ（登録商標）型デジタルオーディオプレーヤ、又は他の適当なローカルグラフィックユーザインターフェイス制御メカニズムに見られるトラックボール、タッチ感知ポインティング装置のようなローカルポインティング装置９０６も備えている。このローカルポインティング装置９０６は、ローカルグラフィックユーザインターフェイス制御情報９１０をローカルディスプレイ４０４に与え、これは、この技術で知られた通常の仕方で使用されて、ユーザが装置６００のグラフィックユーザインターフェイスを適当にナビゲートし、装置へ情報を入力したり装置から出力情報を受け取ったりできるようにする。この例では、キーパッド６０１は、この技術で知られたように、プロセッサ９０４を経て電話回路９０２に作動的に結合され、ワイヤレス電話オペレーション中にキーパッドを使用できるようにする。又、キーパッド６０１は、プロセッサ９０４がローカルディスプレイに表示されるグラフィックユーザインターフェイスを発生できるように作動的に結合されて、キーパッドに関連したキーを使用して、この技術で知られたように、ローカルポインティング装置９０６を使用してグラフィックユーザインターフェイスを通してナビゲートできるようにする。キーそれ自体をローカルポインティング装置の一部分として使用して、メニューを通してスクロールし、ポインタを移動してもよいし、或いはローカルポインティング装置がキーと組み合わされたトラックホイールであって、ポインタ制御（選択を含む）を行ってもよい。ローカルディスプレイ１０６は、この技術で知られたように、ユーザに情報を表示する。
【００２７】
装置移動検出器１１２は、ショートレンジワイヤレス送信器１１０に結合され、そして表面又は他の適当な基準点に対する及び／又は選択ボタンからのワイヤレスハンドヘルド装置６００の移動に基づいて決定されたワイヤレスグラフィックユーザインターフェイス制御情報１２０を与える。ＧＵＩ制御情報１２０は、リモート位置の装置のためにワイヤレス送信器１１０により通信される。又、必要に応じて、装置移動検出器１１２は、ローカルポインティング装置９０６に代わって又はそれに加えて、使用されて、ローカルディスプレイ１０６に設けられるグラフィックユーザインターフェイスを制御するためのＧＵＩ情報１１８を発生することができる。
【００２８】
プロセッサ９０４は、メモリに記憶されたインストラクション実行するもので、それらインストラクションは、その実行時に、装置移動検出器１１２の制御ボタンとして働くキーパッド６０１のキーを制御するように動作するロジックとして機能し、装置移動検出器１１２が、例えば、従来のマウス装置に見られるものと同様の選択オペレーションを行えるようにする。更に、そのロジックは、この技術で知られたワイヤレス電話オペレーションを実行するのに使用するためのキーパッド６０１のキーも制御する。又、メモリ（図示せず）に記憶されてプロセッサ９０４により実行される付加的なプログラミングインストラクションは、キーパッドの制御キーを、ワイヤレスマウスモードから、入呼びの検出に応答するワイヤレス電話モードのような非マウスモードへ切り換えるためのロジックとしても働く。例えば、装置６００は、装置移動検出器１１２をアクチベートして、ＧＵＩ制御情報１２０を発生し、ワイヤレス送信器１１０へ与えるというメニューをユーザが選択することにより、ワイヤレスマウスモードに入れられる。モードは、他の適当な仕方で切り換えることもでき、このモード中の使用から、ワイヤレス電話モード中の使用のために切り換えて、入呼びが受け取られるとき及びその間に望まれるオペレーションを容易にするために制御キーを使用できるようにする。従って、このロジックは、装置移動検出に使用するための制御ボタンと電話動作モードのための制御ボタンとの間の制御キー機能を自動的に切り換える。
【００２９】
又、プロセッサにより実行されたときに、装置移動検出器１１２（表示ポインティング装置）を制御するためにキーパッド６０１のどのキーを使用すべきか指示する情報を表示するように動作するロジックとしてプロセッサを働かせる付加的な実行可能なインストラクションがメモリに記憶される。従って、リモートＧＵＩ制御を与えるように装置移動検出器１１２を制御するためにキーパッド６０１のどのキーを使用すべきか指示するテキスト又は他の印がローカルディスプレイに表示される。実行可能なインストラクションは、単一のプログラム、複数のプログラム又は任意の他の適当な形態で実行できることが認識される。又、上述した装置移動検出器１１２は、図３を参照して述べたような取り付け可能な表示ポインティング装置でもよいことも認識される。又、プロセッサは、ローカルポインティング装置９０６と、装置６００がリモートマウスモードにあるか非リモートマウスモードにあるかに基づきリモートディスプレイポインティング装置として働く装置移動検出器（例えば、必要に応じて対応選択ボタンを含む）との間で切り換えるように動作する表示ポインティング装置切り換えロジックも備えている。ホットキー又は他の適当な選択メカニズムを経てユーザにより選択できるリモートマウスモードでは、ワイヤレスハンドヘルド装置は、上述した装置移動検出器１１２及びワイヤレス送信器を使用して、リモート装置のグラフィックユーザインターフェイスをリモート制御する。非リモートマウスモードでは、装置６００は、電話モード、デジタルオーディオ又はビデオ再生モード、或いはローカルポインティング装置を使用してローカルディスプレイ上のＧＵＩを制御する他の適当なモードのような他の機能を与えるように動作することができる。
【００３０】
従って、他の効果の中でも、マウス又は他のポインティング装置のような一形式のショートレンジワイヤレスイネーブル型ＧＵＩ制御装置は、ユーザが、彼らのワイヤレスハンドヘルド装置（例えば、セルラー電話）を、ラップトップ又はデスクトップコンピュータ或いは他の適当な装置のような他のショートレンジワイヤレス適合外部装置と共に、マウス又はＧＵＩ制御装置として容易に使用できるようにする。一例において、取り付け可能な表示ポインティング装置は、その電力を、別のワイヤレス装置、例えば、セルラー電話、デジタルオーディオプレーヤ（ｉＰｏｄ（登録商標）形式の装置のような）、ハンドヘルドデジタルビデオプレーヤ、又は他の適当なハンドヘルド装置から得る。当業者であれば、他の効果が認識されよう。
【００３１】
ここに示す実施形態の前記説明は、例示のためのものであって、それに限定するものではない。それ故、本発明は、上述した基礎的な原理及び特許請求の範囲の精神及び範囲内に包含される付加的な変更、修正、又はその等好物を網羅することが意図される。
【図面の簡単な説明】
【００３２】
【図１】ワイヤレスハンドヘルド装置及びリモート装置の一実施例を示すブロック図であり、本発明の一実施形態により、ワイヤレスハンドヘルド装置が装置移動検出器を使用して、リモート装置におけるＧＵＩを制御するところを示す図である。
【図２】本発明の一実施形態により表示ポインティング情報を与える方法の一実施例を示すフローチャートである。
【図３】一実施形態によるワイヤレスポインティング装置の側面図である。
【図４】本発明の一実施形態によりコネクタを経てワイヤレスハンドヘルド装置に結合された図３のワイヤレスポインティング装置を示す側面図である。
【図５】図４に示す装置の一実施例の平面図である。
【図６】本発明の一実施形態によるワイヤレスハンドヘルド装置の平面図である。
【図７】図６に示す装置の底面図である。
【図８】図６に示す装置の側面図である。
【図９】ワイヤレスハンドヘルド装置の別の実施形態を示すブロック図である。
【図１】
0005483882.tif 000002
【図２】
0005483882.tif 000003
【図３】
0005483882.tif 000004
【図４】
0005483882.tif 000005
【図５】
0005483882.tif 000006
【図６】
0005483882.tif 000007
【図７】
0005483882.tif 000008
【図８】
0005483882.tif 000009
【図９】
0005483882.tif 000010